(57)【特許請求の範囲】
【請求項１】
投与装置の駆動装置（３０）に取り外し可能に接続することのできるリザーバーモジュール(１０)において、
a)  排出可能な製品を収容するリザーバ（２）を備える、投与装置の前側ケーシング部分（１、３）と、
ｂ）製品を排出すべくリザーバの前端の出口に向けて前進方向に変位可能であるように前記リザーバ（２）内に受け入れられたピストンと、
ｃ）ピストンロッド（４）と、
ｄ）前記駆動装置（３０）に設けられた掛け止め要素（２１）との掛け止め係合状態を確立するための前記前側ケーシング部分(１、３)に設けられた掛け止め要素（３a）と、を備え、
いずれか片方の前記掛け止めの要素（２１または３a）が前記ケーシング部分（１，３）に対して、該ケーシング部分の半径方向に動くことにより、前記掛け止め係合状態の確立および解除が行われる、リザーバモジュール。
【請求項２】
前側ケーシング部分（１，３）が、リザーバの前記出口から反対方向を向いた後面領域に半径方向突出部を備え、該半径方向突出部が、前記前側ケーシング部分の掛け止め要素（３a）又はその一部を形成する、請求項１に記載のリザーバモジュール。
【発明の詳細な説明】
【技術分野】
【０００１】
本発明は、投与装置のケーシング部分を接続することに関する。特に、本発明は、１回のみ使用することができる使い捨て型部分と、繰り返し使用し得るように設けられた駆動装置又は投与量設定及び駆動装置とを備える投与装置にて有益であり、その好ましい例は、半使い捨て型ペンとして既知のその注射装置である。しかし、本発明は、その他の注射装置且つ、注入装置にも有益に採用することもできる。吸入装置にとって、例えば、吸入装置の蒸発手段によって蒸発すべき製品を投与量設定することも等しく有益である。
【０００２】
注射装置及び注入装置は、全体として、投与すべき製品のリザーバ部分と、製品が１回のみ投与可能な場合の駆動装置と、又は製品の投与量を選ぶことが出来る場合の投与量設定及び駆動装置とを備えている。リザーバ部分は、製品リザーバを保持しており、該リザーバから製品又は製品の一部分がピストンを前進させることでリザーバ出口から分与される。駆動装置はピストンを前進させる。
【０００３】
製品を投与量毎に繰り返して分与する装置の場合、駆動装置は、投与量設定及び駆動装置に更に展開し、該装置は、また投与量設定装置又は投与量設定装置の少なくとも一部分と、また多分、製品の選んだ投与量を光学的に且つ（又は）音響学的に表示する表示手段とを備えている。
【０００４】
駆動装置又は投与量設定及び駆動装置並びにリザーバ部分を組み立てるときに問題が生じ、それは、リザーバ部分のリザーバ内のピストンを駆動装置と及び多分、投与量設定装置又は投与量設定装置の一部分と結合しなければならないことによる。特に、装置が製品の異なる投与量を選ぶことを許容するとき、問題点が生じる可能性があり、それは、新たなリザーバ部分及び既に１回使用されたリザーバ部分並びに投与量設定及び駆動装置を誤って組み立てたならば、最初の設定状態が不正確となり且つ、このため、装置を組み立てた後、製品が最初に投与されるとき、不正確な投与量となる危険性があるからである。注射装置又は注入装置が、例えば、糖尿病治療のような多くの治療法にて今日既に一般的であるような自己投与型の装置である場合、この危険性は更に増大する。
【０００５】
本発明の１つの目的は、リザーバ部分及び駆動装置又は投与量設定及び駆動装置を組み立てたときに生ずる不正確な投与の危険性を軽減することである。
本発明による投与装置は、製品のリザーバを保持する前側ケーシング部分を備えている。リザーバ内にピストンが受け入れられ、該ピストンはリザーバの出口に向けて前進方向
に変位して、ピストン行程にて製品の全体又は好ましくは、製品の選んだ投与量のみを排出することができる。好ましくは、注射装置又は注入装置である投与装置は、前側ケーシング部分に取り外し可能に接続された後側ケーシング部分を更に備えている。前側ケーシング部分は、第一の掛止め要素に接続されるか、又は該第一の掛止め要素を形成し、後側ケーシング部分は、第二の掛止め要素に接続されるか又は該第二の掛止め要素を形成する。ケーシング部分が接続されたとき、これら少なくとも２つの掛止め要素は掛止め係合状態にある。１つの好ましい実施の形態において、ケーシング部分は、前進方向に対しすなわち軸方向に、掛止め係合することにより互いに固定される。これら部分はまた、これに代えて又は単に追加的に互いに固定し、掛止め係合することにより、前進方向に対し平行にケーシング部分の長手方向軸線の周りの回転動作に対して回転しないように固定される。この掛止め係合は、ケーシング部分の接続部のみを形成することができる。単に、ケーシング部分の別の異なる接続部に加えて掛止め要素によって、確実な係止部を形成することができる。
【０００６】
投与装置は、ピストンを前進方向に動かす作用を果たすピストンロッドを更に備えている。ピストンロッドは、固定状態に、すなわち恒久的にピストンに接続することができ、これにより、ピストン及びピストンロッドを単一品として形成することが可能であることも理解すべきである。しかし、１つの好ましい実施の形態において、ピストン及びピストンロッドは別個の構成要素として具体化され、ピストンロッドの前端が、製品を排出する目的のため、ピストンの後側部を押すようにする。
【０００７】
駆動装置の又は投与量設定及び駆動装置の駆動要素は、第二のケーシングに取り付けられ、該要素は、前進方向に及び前進方向の反対方向に動き且つ前進方向に動くときにのみ、ピストンロッドを従動させるが、前進方向の反対方向に動くとき、ピストンロッドを従動させないような仕方にてピストンロッドに結合される。
【０００８】
最後に、投与装置は、掛止め要素に対する掛止めロック部材を備えている。掛止めロック部材は、掛止めロック部材が掛止め解除位置にとなったときにのみ掛止め要素の掛止め係合が解除されるような仕方にて駆動要素に結合されている。好ましくは、掛止めロック部材は、駆動要素が掛止め解除位置を除いて、前進方向に且つ前進方向の反対方向に動く動作範囲にてとることのできる全ての位置にて掛止め係合状態に配置された掛止め要素をロックするようにする。特に、好ましくは、駆動要素の掛止め解除位置は、装置が組み立てられたとき、駆動要素が前進方向にとることができる最前方位置に相応するようにする。
【０００９】
本発明に従って、掛止め要素を駆動要素に結合することにより、すなわち、掛止めロック部材により、投与すべき製品投与量を選ぶことを許容する投与装置の場合、実際に零投与量に相応する状態から開始して投与量が選ばれることを保証することが可能である。それは、本発明による装置がないならば、装置を組み立てた後、駆動装置が誤って最初に作動されたならば、ユーザが製品の投与量を選ばないときでさえ、製品が排出される危険が生じるからである。製品の投与量を選んだとしても、その製品の選んだ投与量を上廻る追加的な量の製品が排出される虞れがある。
【００１０】
しかし、本発明に従って駆動要素を掛止め機構に結合することは、また、投与量を選ぶことを許容しないが、例えば、交換アンプルの形態にて製品リザーバを交換することを許容する投与装置にて有益なことである。排出可能である製品量が予め一定に設定されるかかる装置の場合、本発明に従って装置を形成することは、例えば、ケーシングを組み立てたとき、プライミング過程を行うことを保証し、このことはまた、投与量が選ばれた装置にとって有益なことである。
【００１１】
投与装置が例えば、ＬＣＤディスプレイのような投与量インジケータを備えるならば、駆動装置を掛止め機構に結合することは、インジケータを零に再設定することを可能にする。インジケータは機械的に零に再設定することもできるが、掛止めロック部材は、例えば、インジケータを備える電子回路内でこの目的のためのスイッチに展開されることが好ましい。
【００１２】
投与装置が注入カニューレを備える場合、該カニューレは、３０ゲージカニューレに相応する直径を有することが好ましく、又はより小型であることが好ましい。３１ゲージカニューレ又はより細いカニューレは特に好ましい例である。標準ＩＳＯ９６２６に相応しない外径及び（又は）内径であるが、その外径が３０ゲージカニューレの外径よりも小さいカニューレはまた、特に、かかるカニューレの肉厚が標準に従って特定された肉厚以下であるならば、好ましい例の実施の形態である。スチール製カニューレに適用されるＩＳＯ９６２６に関してカニューレの寸法を説明したが、上記の実施の形態は、またその他の生体適合性材料で出来たカニューレに等しく適用することを目的とする。
【００１３】
好ましい実施の形態において、上述したように、該装置は、個々にそれぞれ選ぶことのできる多数の製品投与量を投与することを許容する。この実施の形態において、装置は、投与量設定部材を備えることが好ましく、該投与量設定部材は、ピストンが前側及び（又は）後側ケーシング部分に対して前進方向に動き且つ、上記ケーシング部分及びピストンロッドに対して前進方向の反対方向に動いて、前進方向に動くことにより製品の投与量を選択し且つ前進方向に動くとき、ピストンロッドを従動させることができるような仕方にてピストンロッドに係合する。この実施の形態において、駆動要素は投与量設定部材に作用することが好ましい。掛止め係合および掛止めロック部材による該掛止め係合状態の維持および解除は、掛止め係合状態が確立されたとき、投与量設定部材はまたピストンに対し規定された位置に動くことを保証する。この規定された位置は、投与量設定部材の零位置にあることが好ましく、この位置において、駆動要素は投与量設定部材を介してピストンに作用することはできない。
【００１４】
上述した装置の実施の形態において、選ぶことのできる製品投与量を投与する装置として、ピストンロッド及び投与量設定部材は、特に、好ましくは、前側ケーシング部分内で前側ケーシング部分に取り付けられ且つ前側ケーシング部分とリザーバモジュールを形成するようにすることが好ましい。好ましい実施の形態において、該リザーバモジュールは、使い捨て型モジュールとして設計される、すなわち、リザーバモジュールはリザーバが空になると直ちに処分される。ピストンロッド又は投与量設定部材は前側ケーシング部分に取り付けられず、例えば、後側ケーシング部分に取り付けられるならば、リザーバ部分−前側ケーシング部分と、ピストンを含むリザーバとを備える−は、同様に、それ自体、本発明の意味において単独でリザーバモジュールであることが理解される。
【００１５】
前側ケーシング部分は、２つの部分から成り且つ、リザーバ部分と、機構ホルダとを備えることが好ましい。アンプルがリザーバを形成するならば、リザーバ部分はアンプルホルダと称する。機構ホルダは、ピストン及び好ましくは、投与量設定部材も取り付ける作用を果たす。該機構ホルダは、リザーバ部分に接続され、変位しないように、また、好ましくは回転しないように固定される。接続部は、例えば、ねじ接続部として取り外し可能に形成し又は取り外し不能に形成することができる。リザーバを受け入れる前側ケーシング部分は、また繰り返して使用し得るように提供され、リザーバのみを交換すればよい。このことは、原理上、機構ホルダに適宜な機構が設けられるならば、機構ホルダにも当て嵌まる。しかし、回転しないように固定される従来から使用されたピストンロッドのため、リザーバモジュールを使い捨て可能な部分として設計することは、取り扱いが滑らかであるという有利な効果を有する。
【００１６】
掛止めロック部材のロック係合は、装置が組み立てられたとき、前側ケーシング部分及び後側ケーシング部分を、駆動要素が掛止め解除位置にあるときにのみ互いに分離させることができるという結果をもたらすが、主たる目的は、前側ケーシング部分及び後側ケーシング部分は駆動要素が掛止め解除位置にあるときにのみ互いに接続することが可能であるようにし、好ましくは、装置を組み立てることにより、規定された状態、好ましくは、零投与量状態を画成するか、又は装置を単にプライミングすることが可能であるようにすることである。従って、本発明は、第一の掛止め要素と共に、前側ケーシング部分を備える、単独のリザーバモジュールにも関するものである。本発明は、第二の掛止め要素及び駆動要素と共に、ケーシング部分を備え、投与装置又は投与装置の少なくとも一部分を更に備え、この場合、投与量設定及び駆動装置に展開される駆動装置に更に関する。掛止めロック部材は、駆動装置内又は該駆動装置上に、或いは投与量設定及び駆動装置内に又はその上に形成されることが好ましいが、リザーバモジュール内に又はリザーバモジュール上に設けることもできる。
【００１７】
第一の掛止め要素及び（又は）第二の掛止め要素は、弾性的に撓んで掛止め係合状態となり且つ該掛止め係合状態から脱することにより移動する弾性的捕捉部とすることができる。掛止め要素は、駆動要素の掛止め解除位置にてのみ弾性的に撓むことができる。しかし、１つの好ましい実施の形態において、掛止め係合状態を確立し且つ掛止め係合状態を解除すべくその相応するケーシング部分に可動に接続された掛止め要素自体が剛性であり又は少なくとも十分に剛性であり、掛止め要素が弾性的に撓んで掛止め係合状態が解除されるようにすることはそれ自体では不可能である。移動する掛止め要素は、好ましくは相応するケーシング部分にて圧力ばねの力に抗して弾性的な戻し手段の力に抵抗するよう支持され、該掛止め要素は、掛止め係合状態となり且つ、該掛止め係合状態から脱するよう動くことができる。弾性的掛止め要素の動き及び非弾性的掛止め要素の動きは、前進方向に対し横方向に、好ましくは、直角に向けられる。特に好ましくは、掛止め動作及び掛止め解除動作が装置の長手方向中心軸線に対し半径方向を向くようにする。
【００１８】
掛止め係合状態となり且つ該掛止め係合状態から脱するように動くことのできる少なくとも２つ、好ましくは、正確に２つの掛止め要素が、係止／掛止め接続の仕方にて雄型掛止要素及び受け入れる雌型掛止め要素によって形成されることが好ましい。
【００１９】
掛止めロック部材は、可動の掛止め要素（２つの可動の掛止め要素の場合、掛止め要素の少なくとも１つ又は双方の掛止め要素）をロックするロックスライダを備えることが好ましい。駆動要素が少なくとも１つ、好ましくは正確に１つの掛止め解除位置となる迄、ロックした掛止め要素が掛止め解除動作を行い得ないように掛止め要素はロックされる。掛止めロック部材は駆動要素に剛性に接続され、該掛止めロック部材が１：１の駆動要素の動きに参加するようにすることが好ましい。駆動要素及び掛止めロック部材は、単一の構成要素として、すなわち、単一体として形成することができるが、掛止めロック部材は、駆動要素と別個の部品であり、該駆動要素に接続された部品とし、又はかかる部品を備えることが好ましく、前進方向への１：１の動きに参加し、また、好ましくは前進方向と反対方向へのその動きにも参加するようにする。掛止めロック部材のロック動作及びロック解除動作並びに該ロック部材によりロックされた少なくとも１つ、好ましくは正確に１つの掛止め要素の動きは、互いに対し横方向、例えば、直角に向けられることが好ましい。
【００２０】
本発明は、前進方向への駆動要素の動きがユーザによって手操作で、通常、１回の操作で行われる投与装置にて主として使用されるが、モータを使用して比較的遅く連続的に又は小さい増分量にて同一の動きを行い得るように注入装置にて有益に採用することができる。
【００２１】
投与量設定及び駆動装置は、手操作、半自動又は全自動で作動させることができる。第一の場合、回転投与量設定動作及び平行移動排出動作の双方が手操作で行われる。第二の場合、回転投与量設定動作又は平行移動排出動作の何れかが手操作で行われ、他方の動作はモータを使用して行うか又は、例えば、ユーザが作動ハンドルを使用して相応する動きを励起させたとき、ばね力のような、別型式の力付与手段により行われる。第三の場合、すなわち、全自動投与量設定及び駆動装置の場合、投与量設定動作及び排出動作は、モータを使用して行い又は例えば、ばね力のような別の力によって行われる。この場合、例えば、１つ又は２つ以上のボタンによって投与量のみが手操作で選ばれ、排出動作は、ユーザがそれ自体の相応する作動ハンドルを使用して同様に励起させる。殆どの実施の形態において、本発明による投与装置の場合、手動の投与量設定及び駆動装置が設けられており、該装置は、以下に投与量設定及び作動装置と称する。このように、投与量設定及び作動装置に言及するとき、それは、手操作の実施の形態に関して説明していることになる。投与量設定及び駆動装置について言及するとき、これは、本発明を手操作、半自動及び全自動に限定せずに、これらの実施の形態の各々を備えることを意図するものである。しかし、「投与量設定及び作動モジュール」という語は、投与量設定及び駆動装置の全ての実施の形態に関して使用する。
【００２２】
投与量設定及び駆動装置は、投与量設定動作を行う投与量設定要素と、排出動作を行う駆動要素を別個に備えることができる。しかし、好ましくは、投与量設定動作及び排出動作は、投与量設定及び駆動装置の同一体により行われ、従って、該装置は、以下に投与量設定及び駆動装置又は投与量設定及び作動要素として説明する。
【００２３】
製品は、医学、治療、診断、薬理学又は化粧品の用途を有する流体であることが好ましく、特に、液体であることが好ましい。製品は、例えば、インシュリン、成長ホルモン又は薄い又は濃い、果肉状食品とすることができる。投与装置は、例えば、糖尿病の治療にて一般的であるようにユーザ自身が製品を投与する用途にて採用されることが好ましい。しかし、専門従事者により入院患者又は外来患者の場にて該装置を使用することを排除するものではない。
【００２４】
注射装置の場合、製品は注射カニューレ又は、例えば、針無し注射用のノズルによって投与することができる。製品は、特に、経皮的に又は静脈を通じて或いは筋肉内に注射し又は注入することができる。吸入によって投与するとき、製品の選んだ投与量は、例えば、リザーバから吸入装置のチャンバ内に排出し且つ蒸発手段によって吸入のたため、蒸発させることができる。更に、幾つかの例を挙げれば、経口摂取とし又は食道を介して投与することも考えられる。
【００２５】
該投与装置は、半使い捨て型であることが特に好ましい。この場合、前側ケーシング部分は、リザーバが空になったならば処分され又はリサイクルされるリザーバモジュールの支持体であり、後側ケーシング部分は、新たなリザーバモジュールと組み合わせて繰り返して使用可能である投与量設定及び作動モジュールの支持体である。リザーバモジュールは使い捨て型モジュールとして別個に処分することもできるから、該モジュールは本発明の別の対象物である。投与量設定及び作動モジュールも本発明の別個の対象物とすることもできる。同様に、一度び使用したならば、装置のリザーバモジュールを置換することのできる投与装置と、少なくとも１つのリザーバモジュールとから成るシステムは、本発明の主題を形成する。１回のみ使用すべく提供される部分と、繰り返して使用されるために提供される部分（半使い捨て型）に分割された投与装置の二重の設計（半使い捨て型）は、特に注射ペンに対して有益であるが、吸入装置又は製品を経口摂取し又は人工的に栄養分を投与量設定する装置にても有益である。
【００２６】
本発明のその他の好ましい実施の形態は、従属請求項に記載されており、この場合、投
与装置又はリザーバモジュール或いは投与量設定及び作動装置に関してのみ権利請求した特徴は請求項のその他の主題に関しても好ましい特徴である。
【００２７】
図面に基づいて本発明の一例としての実施の形態に関して以下に説明する。一例としての実施の形態により開示された特徴は、各々が個別に且つ、特徴の任意の組み合わせにて請求項の主題を好ましいように展開させる。一例としてのみ開示された特徴でさえ、その他の例をそれぞれ展開させ、又は代替例を示し、これに反するものは何ら開示されず又は可能な場合のみを示すことを意味するものである。
【００２８】
図１には、図２に図示したリザーバモジュール１０を形成し得るよう互いに接続されたリザーバ部分１及び機構ホルダ３の図が示されている。
更に、図１及び図２において、リザーバ部分１の反対側で機構ホルダ３の一端にて機構ホルダ３内に突き出すピストンロッドが図示されており、該ピストンロッドは、機構ホルダ３に取り付けられ、該ピストンロッドはピストンロッド４の長手方向軸線Ｌの前進方向に移動し、機構ホルダ３の反対側を向いたリザーバ部分１の前端に向かう。リザーバ部分１は、円形の断面を有する実質的に中空な円筒体であり、該リザーバ部分は、注射針用の針ホルダに接続するため、その前端に接続領域を備えている。リザーバ部分１は、一例としての実施の形態において、図３の長手方向断面図にて見ることのできるアンプル２によって形成されたリザーバ容器を受け入れる作用を果たす。アンプル２の前端の出口は膜によって流体密に封止されている。針ホルダがリザーバ部分１の前端に締結されたとき、注射針の後側部分が膜を穿刺し、中空の注射針の先端とリザーバ２との間の流体接続が確立されるようにする。
【００２９】
図３には、注射装置の全体が長手方向断面図で示されている。ピストンがアンプル２内に受け入れられ、該ピストンは、アンプル２の前端に形成された出口に向けて前進方向に変位することができる。ピストンを前進方向に変位させると、製品はアンプル２から押し出され且つ出口及び注射針を通じて製品は排出される。
【００３０】
それ自体が前進したとき、その前端を介してピストンを押し且つ、これによりピストンを前進方向に動かすピストンロッド４によってピストンは前進する。ピストンロッド４は機構ホルダ３によって保持され、特定の抵抗に打ち勝ったならば、ピストンロッドは前進方向に動くことができるが、前進方向の反対方向に動くことはできないようにする。ピストンロッド４は阻止手段８によって前進方向と反対に後方に動くのが防止される。阻止手段８は、機構ホルダ３によって軸方向に固定される、すなわち、該阻止手段は機構ホルダ３内に保持され、阻止手段は前進方向に且つその反対方向に動くことはできない。しかし、阻止手段は、長手方向軸線Ｌの周りで回転可能であるように機構ホルダ３によって取り付けられている。阻止手段８は、また前方に動くために打ち勝たなければならない抵抗力も発生させる。
【００３１】
阻止手段８はそれ自体、図６に図示されている。該阻止手段は、一部分から成る環状要素にて形成されており、該環状要素は、長手方向軸線Ｌの周りで回転し、機構ホルダ３の内面から半径方向内方に突き出す２つの対面する隔たったカラー３ｂの間にて機構ホルダ３に当接する。カラー３ｂは、阻止手段８を軸方向に固定する固定手段を形成する。しかし、阻止手段８が機構ホルダ３内に取り付けられる様子は図５の機構ホルダ３の図面から最も明確に分かる。
【００３２】
更に、投与量設定部材９が機構ホルダ３内に受け入れられている。投与量設定部材９は、ねじ付きナットとして形成され且つピストンロッド４の外ねじと螺合している。投与量設定部材９は、機構ホルダ３によって回転しないよう固定されているが、前進方向に及びその反対方向に軸方向に且つ直線状に動き得るように案内される。ピストンロッド４及び
投与量設定部材９は、投与すべき製品の投与量を選ぶため、回転軸駆動体を形成する。
【００３３】
アンプルホルダ１及び機構ホルダ３は互いに接続され、回転し且つ変位しないように固定され、共に注射装置のリザーバモジュール１０を形成し、該リザーバモジュール１０は、阻止手段８を介して機構ホルダ３によって保持されたピストンロッド４と、投与量設定部材９とを備えている。アンプルホルダ１及び機構ホルダ３は共に、注射装置の前側ケーシング部分を形成する。後側ケーシング部分１１は、確実係止状態で上記前側ケーシング部分１、３に接続されている。後側ケーシング部分１１は、投与量設定及び作動装置１２に対する支持体を形成し、また、投与量設定及び作動要素１２、掛止め手段の部品及びその他の部品と共に注射装置の投与量設定及び作動モジュール３０を形成する。
【００３４】
投与量設定部材９、ピストンロッド４及び阻止手段８を除いて、投与量設定及び作動装置は、製品の投与量を選び且つ注射装置を作動させるその他の構成要素を備えている。特に、該装置は投与量設定及び作動要素１２を備えている。投与量設定及び作動装置は、製品の選んだ投与量をカウントし且つ光学的に表示するカウンティング及び表示手段１７を更に備えている。カウンティング及び表示手段１７の何れも投与量設定及び作動モジュール３０を注射装置の高級で、従って、高価な部品とするものではない。比較的低廉なリザーバモジュール１０が使い捨て型モジュールとして設計される一方、投与量設定及び作動モジュール３０は、常に新しいリザーバモジュール１０と共に繰り返して使用することを目的とする。
【００３５】
製品の投与量を選ぶため、すなわち投与量設定するため、投与量設定及び作動要素１２を長手方向軸線Ｌの周りで回転させ且つ、該要素が長手方向軸線Ｌの周りで前進方向に且つその反対方向に直線状に変位し得るように、後部ケーシング部分１１に取り付けする。投与量設定及び作動要素１２は中空の円筒状であり且つ前側部分を介してピストンロッド４を取り巻く。投与量設定及び作動要素１２の後側部分は、ケーシング部分１１の後端を越えて突き出す。ロッド形状の投与量設定従動手段１３は、投与量設定及び作動要素１２内に半径方向内方に突き出す投与量設定及び作動要素１２のカラーまで深く後側から挿入する。更に、後端にて、閉塞体１４を投与量設定及び作動要素１２内に投与量設定従動手段１３まで深く挿入する。投与量設定従動手段１３は、投与量設定及び作動要素１２の半径方向に突き出すカラーと閉塞体１４との間にて投与量設定及び作動要素１２に対し軸方向に固定されている。投与量設定従動手段１３はまた投与量設定及び作動要素１２に接続され且つ回転しないよう固定されている。投与量設定の目的のため、投与量設定従動手段１３は中空のピストンロッド１４内に後側から突き出す。ピストンロッド４は、投与量設定従動手段１３と係合する接続部分４ａ（図４）を備えており、ピストンロッド４及び投与量設定従動手段１３、従って投与量設定及び作動要素１２は共通の長手方向軸線Ｌの周りで互いに対して回転することができないが、長手方向軸線Ｌに沿って互いに対し前進方向に且つその反対方向に動くことができる。この目的のため、接続部分４ａは、投与量設定従動手段１３に対する直線状案内部として形成される。
【００３６】
戻し手段１６は、前進方向の反対方向に向けて投与量設定及び作動要素１２を弾性的に緊張させて、図３及び図４に示した最初の位置にする。最初の位置において、製品は、投与量設定及び作動要素１２を長手方向軸線Ｌの周りで回転させることで投与量設定することができる。次に、最初の位置から、投与量設定及び作動要素１２を軸方向に変位させることによって選んだ製品投与量を排出することができる。戻し手段１６は、圧力ばねとして機能するら旋ばねによって形成され、該ら旋ばねは、投与量設定及び作動要素１２の周りで環状空隙内に受け入れられ且つ半径方向内方に突き出すケーシング部分１１のカラーと、反対方向に向き且つ半径方向外方に突き出す投与量設定及び作動要素１２のカラーとの間にて軸方向に支持される。
【００３７】
阻止手段８は二重の機能を果たす。一方にて、該阻止手段は、その阻止要素８ａを介してピストンロッド４が機構ホルダ３に対して、特に、アンプル２内に受け入れられたピストンに対して前進方向の反対方向に動いて戻ることができないことを保証する。ブレーキとしてのその二重の機能において、阻止手段８は、投与量設定部材９が前進方向の反対方向に投与量設定及び作動要素１２の方へ軸方向に移動する投与量設定過程の間、ピストンロッド４が前方に動くのを更に防止する。
【００３８】
図３及び図４に示した最初の位置において、投与量設定前、投与量設定部材９は機構ホルダ３によって形成された排出ストッパ３ｃ（図５）に対し前進方向に当接する。ピストンロッド４はピストンと恒久的に接触する位置にある。投与量設定する目的のため、投与量設定部材９は、ピストンロッド４及び線形案内部と螺合することにより機構ホルダ３から投与量設定及び作動要素１２に向けて排出ストッパ３ｃから離れるように動く。このことは、投与量設定量設定部材９の後側ストッパ領域と投与量設定及び作動要素１２の前側ストッパ領域との間の僅かな距離を短くするが、他方にて、投与量設定部材９の前側ストッパ領域と排出ストッパ３ｃとの間の僅かな距離を長くする。排出ストッパ３ｃと投与量設定部材９との間の後者の距離は、投与量設定部材９及び−螺合の結果−ピストンロッド４が投与量設定及び作動要素１２の排出動作過程にて前進方向に動くときの経路長さである。排出ストッパ３ｃは前側平行移動ストッパを形成する。排出動作する間、ピストンロッド４は、ピストンロッド４に接続されたプランジャ本体により形成されたその前端を介して押し、このため、ピストンロッドはピストンに対して前進方向に又はその反対方向に動くことができず、また、該ピストンロッドはピストンをアンプル２の出口に向けて前進方向に押す。長手方向軸線Ｌは、製品を投与量設定し且つ排出する目的のため行われる回転及び平行移動の動作軸線を形成する。
【００３９】
投与量設定過程の間、投与量設定部材９が排出ストッパ３ｃに当接するとき、投与量設定部材９及び投与量設定及び作動要素１２が互いの間に示す距離は、排出過程にて選び且つ排出することのできる製品の最大投与量に相応する。投与量設定及び作動要素１２の行程動作は、排出毎に等しい長さである。投与量設定は、単に、投与量設定部材９と排出ストッパ３ｃとの間の距離、従って、排出過程にて投与量設定及び作動要素１２並びに投与量設定部材９が共に移動することのできる経路長さを設定する。
【００４０】
阻止手段８のブレーキ作用、及びこの目的のため、ピストンロッド４と阻止手段８との間に存在するブレーキ係合状態は、図６及び図７の全体図から明らかである。一方にて、阻止手段８は、その各々が阻止手段８の前方の阻止要素８ａのような弾性的に撓む捕捉部により形成された、ブレーキ係合するための２つのブレーキ要素８ｂを備えている。一例としての実施の形態において、阻止手段８は単一の環状要素により形成され、該環状要素から４つの弾性的な捕捉部が当接側にて軸方向に突き出す。捕捉部は、環状要素の周縁の周りで均一に分配された状態に配置されている。相互に対向する２つの捕捉部は、阻止要素８ａを形成し、同様に、相互に対向する状態に配置されたその他の２つの捕捉部はブレーキ要素８ｂを形成する。
【００４１】
従って、ピストンロッド４は、両側部の外面に形成され且つピストンロッド４の長手方向に伸びる２つの戻り阻止手段６と、同様に、相互に対向する側部にてピストンロッド４の長手方向に伸びる２つの前進ブレーキ手段７とを備えている。投与量設定部材９と螺合するためのピストンロッド４のねじ部は、ピストンロッド４の略全長に亙って伸びる４つの残りのねじ付き部分５によって形成される。戻り阻止手段６及び前進ブレーキ手段７は、各々、横１列歯によって形成される。しかし、戻り阻止手段６の歯は、前進方向に狭小となり且つ後方を指し、また、前進方向に対し横方向に伸びる阻止領域を備える鋸歯状歯として形成されるが、前進するブレーキ手段７を形成する横２列歯は、前方を指して同程度の阻止効果を有する阻止領域を備えていない。前進するブレーキ手段７の各々の歯は、
戻り阻止手段６と比較してより柔軟な歯の輪郭形状を呈する。阻止手段８とピストンロッド４の前進ブレーキ手段７との間のブレーキ係合は、ピストンロッド４が前進するのを防止することを目的とせず、単にかかる前進をより困難にし、ピストンロッド４が、投与量設定する間、前進方向に動かないようにするだけである。前進ブレーキ手段７の歯の前側部及び前進ブレーキ手段７の歯の前側部に接するブレーキ要素８ｂの後側部は、次のような形状とされる、すなわち、投与量設定する間に到達しない限界力を上廻らなければブレーキ係合状態に打ち勝つことができないような形状とされる。この限界力は、戻り阻止手段６の歯を阻止要素８ａの上で前進方向に向けて動かすのに必要な力よりも大きい。限界力は、戻り阻止手段６と阻止要素８ａとの間の当初摩擦力の少なくとも２倍の大きさであることが好ましい。前進動作の過程にて連続的に２回阻止する係合する間に後者の間の摩擦力は漸進的にのみ増大する。一方、ブレーキ係合の限界力は、阻止係合する各々にて前進動作の開始時、直ちに１回の阻止係合から次の阻止係合まで付与しなければならない。しかし、限界力は、排出する間、ユーザを混乱させる程、大きくてはならない。
【００４２】
投与量を選ぶとき、投与量設定部材９による動きに対する応答として、ピストンロッドによる望ましくない前進動作は、原理上、阻止手段８が阻止係合することだけで防止することができる。しかし、かかる動作は、阻止係合だけではなくてブレーキ係合によって一層確実に防止される。
【００４３】
リザーバモジュール１０と投与量設定及び作動モジュール３０との間の接続は確実係止である。一方にて、機構ホルダ３とケーシング部分１１との間には、軸方向への相対的動きを防止する掛止め係合状態が存在する。掛止め係合部を越えて、前側ケーシング部分１、３及び後側ケーシング部分１１は、互いに、軸方向に且つ直線状に直接、案内されて、接続され又は切り離されたとき、相対的回転を防止する。後側ケーシング部分１１の１つ又は２つ以上の相応する係合要素と共に、線形案内部を形成する機構ホルダ３の軸方向案内部３ｄは、図５により明確に見ることができる。軸方向案内部３ｄは、案内リブの案内領域によって形成される。軸方向案内部は、また軸方向に伸びる凹所内の案内領域によって形成してもよい。このようにして、軸方向案内通路が得られる。案内リブは、軸方向にテーパーが付けられており、後側ケーシング部分１１の１つ又は２つ以上の係合要素に対し案内通路内に達する挿入漏斗部が形成される。接続の開始時にケーシング部分１、３、１１を更に一層良く中心合わせするため、案内リブもまた半径方向にテーパーが付けられている。後側ケーシング部分１１の１つ又は２つ以上の係合要素は、後側ケーシング部分１１の表面の反対領域、すなわち内面領域の軸方向部分３ｄと同様に形成されることが好ましい。
【００４４】
機構ホルダ３（図５）の第一の雌型掛止め要素３ａと、掛止め要素が半径方向に動くが、軸方向に動かないように後側ケーシング部分１１に接続された掛止めリング２０との間に掛止め係合状態が存在する。掛止めリング２０は、第一の掛止め要素３ａと直接半径方向に係合する第二の雄型掛止め要素２１を形成する。リザーバモジュール１０及び投与量設定及び作動モジュール３０が互いに対し軸方向に動くのを防止する係止／掛止め接続部が第一の掛止め要素３ａと第二の掛止め要素２１との間に存在する。
【００４５】
図３及び図４には、掛止め要素３ａと掛止め係合した掛止め要素２１が図示されている。掛止め要素３ａは、環状支柱と、機構ホルダ３の外面の周りを伸びる溝とにより形成される。環状支柱は溝の後側壁を形成する。第二の掛止め要素２１は、掛止めリング２０の内面から半径方向内方に突き出すカムによって形成され、該カムは、掛止め係止係合状態のとき、後側ケーシング部分１１の内面上を戻し手段２４によって半径方向内方に押されて、受け入れる掛止め要素３ａ内に突き出す。掛止めリング２０のその全体は、後側ケーシング部分１１により形成された内面領域にて戻し手段２４によって半径方向に支持されており、戻し手段２４は、掛止め要素２１のほぼ半径方向伸長部内にて掛止めリング２０
の外面に対し押す。掛止めリング２０は、機構ホルダ３を取り巻き且つその全体が戻し手段２４の戻し力に抗して半径方向に前後に動いて、第二の掛止め要素２１が動いて第一の掛止め要素３ａと掛止め係合状態となり且つ該掛止め係合状態から脱するようにすることができる。後側ケーシング部分１１は、掛止めリング２０が半径方向に動くための緊密な摺動案内部を形成する。掛止め要素２１の半径方向の反対側部にて、掛止めリング２０はユーザに対する掛止め解除ボタン２２を形成する。圧力ばねとして形成された戻し手段２４を半径方向に案内するため、案内カムが、掛止め要素２１から反対方向に向いた掛止めリング２０の外面領域から半径方向に突き出す。
【００４６】
掛止めブロック部材２５に対し半径方向外方に押す２つのブロックカム２３は、上記案内カムの両側部にて且つ案内カムの軸方向後方にて周方向に向けて掛止めリング２０の外面領域から更に突き出す。ブロックカム２３が掛止めブロック部材２５に対して当接するため、掛止め要素２１の半径方向への動き−掛止め係合状態が解除される結果となるであろう−は防止される。このように、掛止め要素３ａ、２１の間の掛止め係合状態は掛止めブロック部材２５によって確実となる。掛止め係合は、投与量設定及び作動要素１２がその排出動作の終了時にとる掛止め解除位置を除いて、投与量設定及び作動要素１２の各位置にて確実とされる。このため、掛止め解除位置は、投与量設定及び作動要素１２がその排出動作の過程にて投与量設定部材９と当接し、投与量設定部材９の一部分が機構ホルダ３の排出ストッパ３ｃに対し当接するとき、該投与量設定及び作動要素１２がとる最前方の変位位置と一致する。投与量設定及び作動モジュール３０は未だリザーバモジュールと接続されていないならば、投与量設定及び作動要素１２に対する機械的ストッパは投与量設定及び作動装置のストッパ要素３１によって形成される。一例としての実施の形態において、インジケータ１７を再設定する再設定ホルダリングがストッパ要素３１を形成する。上記ストッパ要素３１と当接する投与量設定及び作動要素１２は、投与量設定及び作動要素１２の掛止め解除位置を画成し、この場合、ストッパ要素３１により画成された掛止め解除位置は、排出ストッパ３ｃに当接する投与量設定部材９により画成された位置に相応する。
【００４７】
図８には、掛止めロック部材２５が図示されている。一例としての実施の形態において、該掛止めロック部材は、ロックスライダによって単一体として形成される。掛止めロック部材２５は、例えば図４に示すように、組み立てられたとき、軸方向に伸びる板形状の主本体を備えている。支柱２６は一端にて主本体から直角に突き出している。組み立てられたとき、支柱２６は、投与量設定及び作動要素１２まで遠方に半径方向に伸びている。支柱２６は、掛止めロック部材２５を投与量設定及び作動要素１２に締結する作用を果たし、該投与量設定及び作動要素は、この目的のため、外面領域に半径方向に隔てて形成された２つの環状支柱を備えており、該２つの環状支柱は従動手段１５ａ、１５ｂを形成する。前側従動手段１５ａは、同時に戻し手段１６に対する支持カラーを形成する。従動手段１５ａ、１５ｂの間に形成された環状空間内で、掛止めロック部材２５はその支柱２６を介して突き出し且つ、両側部にて２つの従動手段１５ａ、１５ｂにより軸方向に緊密に包み込まれている。
【００４８】
支柱２６から反対方向を向いた前端にて、掛止めロック部材２５の主本体には、掛止ロック部材２５の前端に向けて開放する軸方向凹所２７が設けられている。このようにして、凹所２７の両側部にて軸方向に伸びるロック舌状体２８が形成される。上記ロックカム２３の各々がロック舌状体２８の１つを押して、投与量設定及び作動要素１２が掛止め解除位置とならないように掛止めリング２０のロックカム２３が配置されている。掛止めロック部材２５が軸方向に動くとき、掛止め要素２１に対する戻し手段２４は、軸方向凹所２７を貫通して伸びている。
【００４９】
引込み凹所２９が掛止めロック部材２５の主本体に更に形成され且つ、投与量設定及び
作動要素１２の掛止め解除位置を画成する。ロックカム２３の各々に対し１つの引込み凹所２９が設けられる。引込み凹所がロックカム２３にのみ重なり合い、従って投与量設定及び作動要素１２がその掛止め解除位置まで前進したとき、ロックカム２３を挿入することを許容し得るように、引込み凹所２９の位置が選ばれる。
【００５０】
一例としての実施の形態にて特に選んだ配置において、単一のロックカム２３を提供することもでき、従って、掛止めロック部材２５は、１つのみの引込み凹所２９と、１つのみのロック舌状体２８とを備えている。更に、掛止めロック部材は、原理上、投与量設定及び作動要素１２と共に単一体として製造することができる。しかし、該掛止めロック部材を別個の部品として形成することがピストンロッド４と協働する投与量設定及び作動要素１２の製造、組み立ての点で有利な効果をもたらす。掛止めロック部材２５の取付け長さに関して、掛止めロック部材２５は、ケーシング１１の内面領域にて掛止め要素２１の反対側の外側部に支持される。このようにして、掛止め係合を確実にする安定性が向上する。ケーシング１１は、掛止めロック部材２５に対する軸方向案内部を形成することが好ましい。
【００５１】
注射装置の機能について以下に説明するが、ここで、新たなリザーバモジュール１０及び既に１回使用した投与量設定及び作動モジュール３０を組み立て、次に、製品を最初に排出すると想定する。
【００５２】
投与量設定及び作動モジュール３０及び新たなリザーバモジュール１０は、互いに対し軸方向に整合され、その２つの長手方向軸線が互いに面一となるようにする。次に、リザーバモジュール１０をその後端を介して、投与量設定及び作動モジュール３０の前方に開放しているケーシング１１内に挿入する。
【００５３】
このことは、ケーシング部分１、３及びケーシング部分１１を機構ホルダ３の案内リブ３ｄのテーパー付端部上で中心合わせすることになる。摺動する間、掛止め要素３ａ、２１の掛止め係合状態が確立され、又はそれ自体で設定することができる接続端部位置をケーシング部分１、３、１１がとる迄、２つのケーシング部分は、線形案内部により予め設定された回転角度位置にて互いに軸方向に且つ直線状に案内される。
【００５４】
投与量設定及び作動要素１２は、後側ケーシング部分１１に対し予め設定した回転角度位置に係止される。ケーシング部分１、３、１１の線形案内部、投与量設定及び作動要素１２の回転角度係止位置は互いに調節され、投与量設定及び作動要素１２とピストンロッド４との間にて回転しないよう固定された係合状態が投与量設定及び作動要素１２の各係止位置にて確立され、また、ケーシング部分１、３、１１が互いに直線状に案内される回転角度位置の各々にて確立されるようにする。
【００５５】
投与量設定及び作動要素１２が掛止め解除位置の後方のケーシング部分１１に対する軸方向位置に配置されたならば、掛止め要素２１は掛止めロック部材２５によってその半径方向最内方位置に保持される。掛止め要素２１のこの位置において、投与量設定及び作動モジュール３０並びにリザーバモジュール１０は、接続端部位置まで互いに摺動することができず、従って、互いに接続することもできない。それは、機構ホルダ３の外面に形成され、第一の掛止め要素３ａの一部を形成する環状支柱が最初に、第二の掛止め要素２１に当接する休止位置となるからである。
【００５６】
かかる突出部及び第二の掛止め要素２１が最初に軸方向に面一に休止する位置である、回転角度位置にてのみケーシング部分１、３、１１を組み立てることができるならば、環状支柱は、接線方向に僅かに半径方向に突き出す部分まで縮小させることができる。また、環状支柱又は半径方向突出部は第一の掛止め要素３ａのみを形成してもよく、それは、
第一の掛止め要素３ａの必須の機能は、投与量設定及び作動要素１２がその掛止め解除位置となるときにのみ、リザーバモジュール１０と投与量設定及び作動モジュール３０との間の接続が確立されることを許容することであるからである。この状態が実現されたならば、次に、リザーバモジュール１０と投与量設定及び作動モジュール３０との間の接続が確立されたとき、投与量設定部材９が機構ホルダ３の排出ストッパ３ｃに当接するその投与零位置に配置されることを投与量設定及び作動要素１２が保証する。
【００５７】
上述した状態を実現するため、ユーザは投与量設定及び作動要素１２を掛止め解除位置まで後側ケーシング部分１１に対し軸方向に前方に出す。後側ケーシング部分１１と、投与量設定及び作動要素１２との間のこの相対的位置において、ロックカム２３は、掛止めロック部材２５の引込み凹所２９内に動かすことができる。従って、ユーザは、投与量設定及び作動要素１２を少なくとも掛止め解除位置まで押すのみならず、これと同時に、第一の掛止め要素２０を掛止め解除ボタン２２によって掛止め係合状態外に押す。次に、リザーバモジュール１０を第一の掛止め要素３ａの環状支柱の上を軸方向に動かし且つ、後側ケーシング部分１１内に更に挿入することができる。ユーザは掛止め解除ボタン２２を解放することができる。第一の掛止め要素２１が第二の掛止め要素３ａに重なると直ちに、該第一の掛止め要素は、戻し手段２４の力によって受け入れる掛止め要素３ａ内にスナップ嵌めし、掛止め係合状態が確立される。次に、リザーバモジュール１０及び投与量設定及び作動モジュール３０を投与量設定部材９及びピストンロッド４の位置に対して確立された仕方にて互いに接続する。掛止め係合状態が確立される前に、投与量設定部材９が依然として排出ストッパ３ｃから僅かな距離を示すならば、この距離は、接続を確立するために必要とされる投与量設定及び作動要素１２の動作によって解消される。注射針をプライミングする目的のため、それに伴って製品を排出することが許容可能であり且つ望ましい。このことは、カウンティング及び表示手段１７を零に再設定することが好ましい。
【００５８】
このようにして生じさせた規定した最初の状態において、ユーザは製品を投与量設定することができる。投与量設定及び作動要素１２を長手方向軸線Ｌの周りで且つ、ケーシング部分１１に対して回転させることで製品は投与量設定される。投与量設定従動手段１３は、投与量設定及び作動要素１２に接続され、回転しないよう固定されるため、また、その一部がピストンロッド４と係合し、回転しないよう固定されるため、投与量設定及び作動要素１２は、その回転投与量設定動作の間、ピストンロッド４を従動させる。ピストンロッド４と投与量設定部材９との間の螺合状態及び投与量設定部材９を機構ホルダ３によって直線状に案内することによって、投与量設定部材９は、相互的な螺合状態のねじピッチにより予め設定された軸方向への平行移動投与量設定動作を投与量設定及び作動要素１２に向けて実行する。投与量設定及び作動要素１２は、後側平行移動ストッパ１２ｃを形成し、該ストッパは、投与量設定部材９の平行移動可能な投与量設定動作を制限し、従って設定可能な最大の排出行程を画成する。
【００５９】
カウンティング及び表示手段１７は、投与量設定及び作動要素１２の回転角度位置に相応する投与量単位をカウントし且つ、その値を光学的に表示する。
所望の製品投与量が選ばれたならば、投与量設定過程は完了する。選ばれた製品投与量は、ピストンの前進方向に向けて投与量設定及び作動要素１２が排出動作を行うことにより排出される。その排出動作の過程にて、投与量設定及び作動要素１２が投与量設定部材９に当接し且つ、該部材を従動させる。投与量設定部材９が排出動作の過程中、機構ホルダ３の排出ストッパ３ｃに当接するとき、投与量設定及び作動要素１２の排出動作及び製品の排出が完了する。ユーザが投与量設定及び作動要素１２を解放させたならば、該要素は、戻し手段１６によって前進方向の反対方向に動かされ、製品を再度投与量設定し且つ排出する新たな最初の位置に戻すことが好ましい。カウンティング及び表示手段１７は、投与量設定及び作動要素１２に結合され、該手段が間もなく零に再設定されて戻るようにすることが好ましい。該手段は、既に排出された製品の合計量、従って、アンプル２内に
残る製品の残留量をカウントし且つ表示する手段を有することが可能である。
【００６０】
リザーバモジュール１０を投与量設定及び作動モジュール３０から取り外すため、投与量設定及び作動要素１２は掛止め解除位置まで、すなわち該要素が投与量設定部材９に当接する迄、前進させる。この位置において、ユーザは、掛止め解除ボタン２２を押すことにより掛止め係合状態を再度、解除し、リザーバモジュール１０を投与量設定及び作動モジュール３０から分離することができる。
【００６１】
図９から図１３には、注射装置の第二の一例としての実施の形態の長手方向断面図及び４つの断面図が図示されている。第二の一例としての実施の形態の注射装置は、掛止めロック部材２５に関して第一の一例としての実施の形態におけるものと同一であり、このため、この点に関して、第一の一例としての実施の形態に関する説明を参照する。特に、第二の一例としての実施の形態による掛止めロック部材２５は、その作用可能な細部の全てに関して第一の一例としての実施の形態におけるものと同一である。このことは、掛止め要素３ａ、２１にも当てはまる。
【００６２】
装置が最初の状態にあるときの掛止めリング２０、及び掛止め要素２１及び掛止めロック部材２５に対するロックカム２３の位置を図１０、図１１及び図１２の断面図に特に明確に見ることができ、この点に関しても、第一の一例としての実施の形態の代表例として、これら図面を参照する。
【００６３】
第二の一例としての実施の形態による注射装置は、投与量設定に関係する構成要素の係合及び動きが進む点にて、第一の一例としての実施の形態と相違する。更に、機構ホルダは、第一の一例としての実施の形態における機構ホルダの作用に加えて特に、投与量設定の目的のため、機構ホルダに対して変更可能である別個の回転角度位置に投与量設定部材を配置するという作用を果たす。これに反して、第二の一例としての実施の形態による阻止手段は、第一の一例としての実施の形態によるものよりも簡単に具体化される。主として、第一の一例としての実施の形態と比較して、相違する点のみを以下に説明し、第一の一例としての実施の形態におけると同一の参照番号で示す構成要素とその基本的機能の点で同一であるが、細部の点で相違する構成要素に対し、最後の数字が等しい３０番台の数字、又は第一の一例としての実施の形態におけるものと正確に同一の参照番号が使用される。第二の一例としての実施の形態に関して何ら説明がない場合、第一の一例としての実施の形態に関する相応する説明が当てはまる。
【００６４】
第二の一例としての実施の形態において、後側ケーシング１１に対し軸方向に且つ直線状に動かし、また、長手方向軸線Ｌの周りで回転することができる投与量設定及び作動要素３２は、投与量設定部材３９に接続され、回転しないよう固定される。投与量設定及び作動要素３２及び投与量設定部材３９は、互いに且つケーシング部分１、３、１１に対し前進方向に且つその反対方向に動かすことができる。ピストンロッド４は、機構ホルダ３によって保持され、回転しないよう固定されている。機構ホルダ３に単一体として形成された阻止手段３８の阻止要素と協働して、第一の一例としての実施の形態と機能的に同一である戻し阻止手段６は、ピストンロッド４が前進方向の反対方向に動くのを防止するが、該ピストンロッドが前進方向に動くのを許容する。阻止要素は、ピストンロッド４に対する戻し阻止部及び回転阻止部を同時に形成する。更に、先の第一の一例としての実施の形態におけるように、投与量設定及び作動要素３２は、ピストンロッド４に対する摺動案内部を形成する。
【００６５】
投与量設定する間、投与量設定及び作動要素３２は、第一の一例としての実施の形態における投与量設定及び作動要素１２と同一の回転投与量設定動作を行う。しかし、係合状態が回転しないよう固定されるため、投与量設定部材３９は、回転投与量設定動作の間、
従動する。ピストンロッド４と投与量設定部材３９との間の螺合状態は、同様に、第一の一例としての実施の形態におけるものと同程度であり、回転投与量設定動作及びピストンロッド４と螺合状態となることのため、投与量設定部材３９により形成されたストッパ３９ｃは、投与量設定する過程にて、前進方向の反対方向に、投与量設定及び作動要素３２の前端に向けて動く。第一の一例としての実施の形態と相違して、投与量設定する間、ピストンロッド４が静止している間、投与量設定部材３９は、前側ケーシング部分に対する回転投与量設定動作及び平行移動投与量設定動作を完了する。投与量設定が完了したならば、投与量設定及び作動要素３２の排出動作は、設定投与量によって設定された、投与量設定部材３９のストッパ領域と機構ホルダ３の排出ストッパ３ｃとの間の僅かな距離に相応する経路長さだけ、ピストンロッド４を前進させる。
【００６６】
投与量設定部材３９の平行移動投与量設定動作は、後側ケーシング部分１１自体によって直接形成された後側平行移動ストッパ１１ｃにより前進方向の反対の方向に制限される。第二の一例としての実施の形態においても製品の投与量設定及び排出に関係する構成要素の回転可能で且つ平行移動可能な軸線は長手方向軸線Ｌを形成する。
【００６７】
第一の一例としての実施の形態におけるように、前側ケーシング部分１、３は投与量設定部材３９に対する摺動案内部を形成する。摺動案内部を形成するため、機構ホルダ３の内面領域及び投与量設定部材３９の外面領域は互いに摺動接触する。投与量設定及び作動要素３２は、投与量設定部材３９の内面と係合して、投与量設定部材３９と投与量設定及び作動要素３２との間に回転しないよう固定された接続部を形成する。
【００６８】
第二の一例としての実施の形態において、ピストンロッド４は戻し阻止手段６を超える、それ自体のブレーキ手段を何ら備えていない。戻し阻止手段６の鋸歯状歯の前側部は、また、それ自体にブレーキ手段を形成する。しかし、第二の一例としての実施の形態のピストンロッド４は、第一の一例としての実施の形態におけるピストンロッド４と置換してもよい。従って、第二の一例としての実施の形態における機構ホルダ３は、この場合、第一の一例としての実施の形態における少なくとも１つのブレーキ要素、好ましくは、双方のブレーキ要素も形成しなければならないであろう。
【００６９】
図１４から図１６には、斜視図、側面図並びに側面図に示したＡ−Ａに沿った断面図にて第二の一例としての実施の形態における機構ホルダ３が図示されている。第一の一例としての実施の形態におけるように、機構ホルダ３は、単一体スリーブ部分、好ましくは、射出成形した部分として具体化される。該機構ホルダは、前側スリーブ部分の外面に拡大部３ｅを備えている。前側スリーブ部分はリザーバ部分１内に差し込まれ且つ、少なくともユーザに対し、拡大部３ｅによってリザーバ部分１に取り外し不能に係止されている。
【００７０】
掛止め要素３ａは、第一の一例としての実施の形態におけるように、機構ホルダ３の中間スリーブ部分に形成されている。
掛止め要素３ａに接続された後側スリーブ部分がその外周面に複数の軸方向案内部３ｄを形成する。軸方向案内部３ｄは、後側スリーブ部分の外周にて半径方向に突き出す案内リブによって形成される。より正確には、上記案内リブの軸方向に伸びる直線状側壁により形成された軸方向案内部が形成され、このため、−第一の一例としての実施の形態におけるように−軸方向への案内通路が得られる。案内リブが指状体のような中間スリーブ部分から機構ホルダ３の後端まで遠方に突き出し、該箇所にて、これら案内リブは軸方向にテーパーが付けられる。軸方向案内部３ｄは、リザーバモジュール１０が投与量設定及び作動モジュール３０に接続されたとき、後側ケーシング部分１１を直線状に案内する作用を果たす。図９及び最も明確に図１１にて見得るように、係合要素１１ｄは、相応する数及び適応させた形状にて後側ケーシング部分１１の内面領域から半径方向内方に突き出している。１つの係合要素１１ｄが軸方向案内部３ｄの各々内に突き出しており、前側ケー
シング部分１、３及び後側ケーシング部分１１が互いの内部に摺動して接続されるようにしたとき、軸方向案内部３ｄによって直線状に案内される。このようにして、投与量設定及び作動要素３２と投与量設定部材３９との間に回転しないように固定された係合状態が接続する過程にて確立されたとき、前側ケーシング部分１、３と後側ケーシング部分１１との間に相対的回転は何ら存在しないことが保証される。
【００７１】
案内リブはその後端にて軸方向にテーパーが付けられており、このため、案内通路の幅が挿入漏斗状部分内に拡がるため、接続の目的のため、前側ケーシング部分１、３と後側ケーシング部分１１との間の中心合わせは一層容易となる。案内リブはまた、機構ホルダ３の表面領域に対して半径方向にその端部にてテーパーが付けられており、このことは、軸方向案内部３ｄにより予め設定された回転角度位置にてケーシング部分１、３、１１を互いに対し中心合わせすることを一層容易にする。
【００７２】
前側ケーシング部分１、３及び後側ケーシング部分１１はこれら部分を互いの内部に摺動させるとき、互いに対して回転するのが防止されるのと丁度同様に、投与量設定部材３９はまた、前側ケーシング部分１、３に対するその回転角度位置に対し固定されており、投与量設定部材３９は、投与量設定に必要な投与量設定部材３９の回転動作を許容し得るように取り外し可能に固定されている。このため、前側ケーシング部分１、３と後側ケーシング部分１１との間に接続部を確立することにより、一方にて投与量設定部材３９の投与量設定動作を可能にするが、望ましくない投与量設定動作を防止するため、投与量設定部材３９は、解放可能な係止接続部によって別個の回転角度位置に機構ホルダ３によって固定される。
【００７３】
図１７から図２０には、投与量設定部材３９の個別の図が図示されている。係止接続部を形成するため、多数の係止凹所３９ｇが周縁上に規則的な分離状態にて分配された投与量設定部材３９の外面領域に形成されている。係止凹所３９ｇの各々は、その断面にて伸びる丸味を付けた輪郭形状を有する直線状に軸方向に伸びる溝状すじによって形成される。
【００７４】
機構ホルダ３には、２つの係止突起３ｇ（図１５及び図１６）が設けられている。２つの係止突起３ｇは、機構ホルダ３の後側スリーブ部分の機構ホルダ３の内面領域から半径方向内方に突き出している。これら係止突起は、互いに対し直線上で対向する位置に配置されている。係止突起３ｇの１つが形成された機構ホルダ３のそれぞれの表面領域は、半径方向に弾性的に可撓性であるばね要素３ｆを形成する。係止突起３ｇは弾性的に可撓性であり且つ、丸味を付けた形状であるため、係止凹所３９ｇの丸味を付けた輪郭形状と相俟って、係止突起３ｇと対向する係止凹所３９ｇとの間の係止係合状態を解放することができる。このことは、投与量を選ぶために必要である。しかし、他方にて、投与量設定部材３９が十分に安定的に回転角度位置に固定され、投与量設定及び作動要素３２との間に回転結合が確立されたとき、前側ケーシング部分１、３及び後側ケーシング部分１１が接続される場合、投与量設定部材３９の望ましくない投与量設定動作は何ら生じないような係止係合状態となるような設計とされている。機構ホルダ３と投与量設定部材３９との間の係止接続部は、投与量設定する間、触覚的信号による有益な副次的効果がある。ばね要素３ｆを好ましい弾性を保つため、機構ホルダ３の後側スリーブ部分は該当する表面領域にて切欠いており、ばね要素３ｆは、両側部にて軸方向に自由な周方向に伸びる環状部分として維持される。
【００７５】
投与量設定部材３９と投与量設定及び作動要素３２との間の回転しないよう固定された係合状態とするための軸方向案内部３９ｄが同様に、図１７、図１８及び図２０に見ることができる。投与量設定及び作動要素３２には、投与量設定及び作動要素３２と投与量設定部材３９との間に軸方向の直線状案内部、すなわち回転阻止部を形成するため、少なく
とも１つの係合要素が設けられている。軸方向案内部３９ｄは、この場合にも、軸方向に直線にて伸びる多数の案内リブにより形成された案内通路である。案内リブの各々は、投与量設定及び作動要素３２を向いたその後端にて軸方向に及び半径方向にテーパーが付けられており、回転しないよう固定された係合状態が確立されたとき、投与量設定及び作動要素３２と、投与量設定部材３９との間の中心合わせを一層容易にする。このため、例えば、ケーシング部分１、３、１１を軸方向に直線状に案内する場合のように、投与量設定部材３９及び投与量設定及び作動要素３２を軸方向に直線状に案内するため同一の設計が使用される。
【００７６】
完全を期すため、図１８に最も明確に見ることができる、投与量設定部材３９の投与量設定ねじ部３９ａ及び排出ストッパ３９ｃについても説明する。
最後に、投与量設定部材３９の２つの軸方向端部位置にて作用可能な２つの回転阻止部が投与量設定部材３９に対して提供される。この点に関して、図２２を更に参照する。
【００７７】
投与量設定部材３９による回転投与量設定動作に応答してピストンロッド４が後方に動く可能性を防止するため、投与量設定部材３９の前端に回転ストッパ３９ｈが形成されている。製品が排出された直後又は投与量が選ばれる前に、投与量設定部材３９がとる前方位置において、回転ストッパ３９ｈは機構ホルダ３に形成された反対回転ストッパ３ｈと係合する（図１６）。回転ストッパ３９ｈは、投与量設定部材３９の前側当接側部から軸方向に突き出し、反対回転ストッパ３ｈは、機構ホルダ３の軸方向を向いた当接領域から突き出して、回転ストッパ３９ｈに対し軸方向に対向した排出ストッパ３ｃを形成する。回転ストッパ３９ｈと反対回転ストッパ３ｈとの間の係合状態は、投与量設定部材３９が排出ストッパ３ｃから離れた方向を向く平行移動投与量設定動作を生じさせる回転方向への回転投与量設定動作は許容するが、前方軸方向端部位置にて回転反対方向への回転投与量設定動作を阻止するようにされている。
【００７８】
更に、基本的に、ストッパ３ｈ、３９ｈと同一の仕方にて形成され且つ、協働する別の対の回転ストッパ及び反対回転ストッパが提供される。上記第二の対の回転ストッパは、一方にて、投与量設定部材３９の後側当接領域から軸方向に突き出す回転ストッパ３９ｉであり、また、他方にて、後側平行移動ストッパ１１ｃのストッパに向けた当接領域から投与量設定部材３９に向けて軸方向に突き出す反対回転ストッパ１１ｉであるが、これらは、その寸法が小さいため、図９にて見ることはできない。後端位置において、後側対の回転ストッパ１１ｉ／３９ｉは、後側平行移動ストッパ１１ｃに対して向けられた、投与量設定部材３９による投与量設定動作に応答してピストンロッド４が前進方向に動く可能性を防止する。
【００７９】
回転ストッパ３ｈ、３９ｈ、１１ｉ、３９ｉの全ての高さ、すなわち軸方向長さは、ピストンロッド４及び投与量設定部材３９の係合した投与量設定ねじのねじピッチとなるように調節される。回転ストッパは、軸方向に十分に短く、このため、投与量設定部材３９をそれぞれの平行移動ストッパ３ｃ又は１１ｃから離れるように動かす回転投与量設定動作が妨害されることはない。
【００８０】
リザーバモジュール１０の構成要素を組み立てるとき、投与量設定部材３９は、図９から分かるように、予め設定した軸方向位置までピストンロッド４にねじ込まれる。次に、ピストンロッド４を、ねじ止めした投与量設定部材３９と共に、その阻止手段３８がピストンロッド４の戻し阻止手段６と係合し、更に、投与量設定部材３９の回転ストッパ３９ｈと機構ホルダ３の反対回転ストッパとの間に回転しないように固定された係合状態が確立される迄、後方から機構ホルダ３内に挿入する。投与量設定部材３９は、機構ホルダ３内に挿入される間でさえ、投与量設定部材３９が機構ホルダ３の排出ストッパ３ｃと当接する迄、係止突起３ｇと係止凹所３９ｇとの間の係止係合を介して機構ホルダ３によって
軸方向に且つ直線状に案内される。機構ホルダ３に対する投与量設定部材３９のこの前端位置において、回転ストッパ３ｈ、３９ｈ間の回転しないように固定された係合状態が確立される。
【００８１】
この状態において、機構ホルダ３及び既にリザーバが装着されたリザーバ部分１は互いに接続される。
後続のステップにおいて、完全に組み立てた投与量設定及び作動モジュール３０の後側ケーシング部分１１は、機構ホルダ３まで摺動し、この位置において、機構ホルダ３及び後側ケーシング部分１１は、後側案内部３ｄ及び後側ケーシング部分１１の係合要素１１ｄのため、互いに中心合わせすることができ、一度び、中心合わせされたならば、案内係合によって互いに軸方向に且つ、直線状に案内される。後側ケーシング部分１１を機構ホルダ３まで摺動させる過程中、投与量設定及び作動要素３２は、投与量設定部材３９と係合し、回転しないように固定されて、この場合にも、最初に、軸方向案内部３ｄに相応する直線状案内部及び係合要素１１ｄを使用して特定の中心合せすることが可能である。
【００８２】
投与量設定及び作動要素３２は、別個の回転角度係止位置において、後側ケーシング部分と係止係合しており、また、係止係合状態において、すなわちそれぞれの回転角度係止位置において、軸方向に且つ直線状に案内される。２つの連続的な回転角度係止位置の間の回転角度の差は、１回の投与量単位に相応する。一方にて機構ホルダ３と後側ケーシング部分１１との間の直線状案内部、及び他方にて機構ホルダ３に対する投与量設定部材３９（係止突起３ｇ及び係止凹所３９ｇ）の別個の回転角度位置及び後側ケーシング部分１１に対する投与量設定及び作動要素３２の回転角度位置は、互いに調節されて、２つのケーシング部分１、３、１１は、常に、回転角度位置にて互いの上を直線状に摺動し、投与量設定部材３９及び投与量設定及び作動要素３２もまた、回転しないように固定されたそれらの係合のため互いに対して整合され、リザーバモジュール１０が投与量設定及び作動モジュール３０に接続されている間、投与量設定に関係した構成要素間に相対的回転が何ら存在しないようにする。
【００８３】
組み立てのその他の詳細、特に、第二の一例としての実施の形態に従って注射装置の掛止め係合を確立すること及び注射装置の機能の詳細について、第一の一例としての実施の形態に関して説明する。
【００８４】
第一の一例としての実施の形態における投与量設定部材９の２つの軸方向端部位置において、ピストンロッド４による望ましくない応答動作を防止する回転阻止部を注射装置内に設けることもできる。図２１には、第二の一例としての実施の形態における回転ブロックと同一の仕方にて形成された２つの回転阻止部が示されている。しかし、第二の一例としての実施の形態にてケーシング部分１、３、１１に形成された反対回転ストッパは、第一の実施の形態において、一方にて阻止手段８により、また、他方にて投与量設定及び作動要素１２により形成される。このように、多数の回転ストッパ８ｈが投与量設定部材９に対して軸方向に向けた阻止手段８の当接側部に形成され、また、投与量設定部材９に向け軸方向に突き出す。阻止手段８は前側ケーシング部分１、３に軸方向に且つ動かないように取り付けられ、また、ピストンロッド４に接続され、回転しないように固定されているため、正面側の対の回転ストッパ８ｈ／９ｈを介してピストンロッド４と投与量設定部材９との間に回転投与動作に対する回転阻止部が得られる。投与量設定部材９と後側平行移動ストッパ１２ｃとの間に第二の対の回転ストッパが形成される。第二の一例としての実施の形態におけるように、投与量設定部材９に軸方向に向いた平行移動ストッパ１２ｃの当接領域から多数の回転ストッパ１２ｉが投与量設定部材９に向けて軸方向に突き出している。第二の一例としての実施の形態におけるように、投与量設定部材９の後側部には、回転ストッパ９ｉが設けられており、該ストッパ９ｉは、投与量設定部材９が軸方向後端位置にあるとき、回転ストッパ１２ｉと係合する。投与量設定部材９が軸方向後端位置
にあるとき、後側対の回転ストッパ９ｉ／１２ｉは、投与量設定部材９が前進方向に向けて平行移動的な投与量設定動作を行うようにする回転投与量設定動作のみを許容する。
【参照番号】
【００８５】
１    リザーバ部分、アンプルホルダ
２    リザーバ、アンプル
３    機構ホルダ
３ａ    第一の掛止め要素
３ｂ    固定手段
３ｃ    排出ストッパ、変位手段
３ｄ    軸方向案内部
３ｅ    拡大部
３ｆ    ばね要素
３ｇ    係止突起
３ｈ    回転ストッパ
４    ピストンロッド
４ａ    接続部分
５    ねじ付き部分
６    戻り阻止手段、横列歯
７    前進ブレーキ手段、横列歯
８    阻止手段８
８ａ    阻止要素
８ｂ    ブレーキ要素
８ｈ    回転ストッパ
９    投与量設定部材
９ｈ    回転ストッパ
９ｉ    回転ストッパ
１０    リザーバモジュール
１１    後側ケーシング部分
１１ｄ    係合要素
１１ｉ    回転ストッパ
１２    投与量設定及び作動要素
１２ｉ    回転ストッパ
１３    投与量設定従動手段
１４    閉塞体
１５ａ    従動手段、環状支柱
１５ｂ    従動手段、環状支柱
１６    戻し手段
１７    カウンティング及び表示手段
１８    −
１９    −
２０    掛止めリング
２１    第二の掛止め要素
２２    掛止め解除ボタン
２３    ロックカム
２４    戻し手段
２５    掛止めロック部材
２６    従動手段、支柱
２７    軸方向凹所
２８    阻止舌状体
２９    引込み凹所
３０    投与量設定及び作動モジュール
３１    ストッパ要素
３２    投与量設定及び作動要素
３３−３７    −
３８    阻止手段
３９    投与量設定部材
３９ａ    投与量設定ねじ部
３９ｃ    排出ストッパ
３９ｄ    軸方向案内部
３９ｇ    係止凹所、軸方向案内部
３９ｈ    回転ストッパ
３９ｉ    回転ストッパ
【図面の簡単な説明】
【００８６】
【図１】第一の一例としての実施の形態によるリザーバモジュールの２つの部分を示す図である。
【図２】図１の２つの部分から得られたリザーバモジュールの図である。
【図３】第一の一例としての実施の形態に従い、図２のリザーバモジュールを備える注射装置の長手方向断面図である。
【図４】図３の注射装置の一部分を示す図である。
【図５】リザーバモジュールの機構ホルダの長手方向断面図及び２つの図である。
【図６】機構ホルダにより取り付けられたピストンロッド用の阻止手段の図である。
【図７】ピストンロッドの長手方向断面図及び正面図である。
【図８】掛止めロック部材の長手方向断面図、１つの図及び頂面図である。
【図９】注射装置の第二の一例としての実施の形態の図である。
【図１０】図９のＡ−Ａに沿った断面図である。
【図１１】図９のＢ−Ｂに沿った断面図である。
【図１２】図９のＣ−Ｃに沿った断面図である。
【図１３】図９のＤ−Ｄに沿った断面図である。
【図１４】第二の一例としての実施の形態による機構ホルダを示す斜視図である。
【図１５】図１４の機構ホルダの図である。
【図１６】図１５のＡ−Ａに沿った断面図である。
【図１７】第二の一例としての実施の形態による投与量設定部材を示す斜視図である。
【図１８】図１７の投与量設定部材を示す長手方向断面図である。
【図１９】図１７の投与量設定部材を示す図である。
【図２０】図１７の投与量設定部材を示す頂面図である。
【図２１】図３による注射装置の一部分を示す図である。
【図２２】図９による注射装置の一部分を示す図である。
【図１】
0004448530.tif 000002
【図２】
0004448530.tif 000003
【図３】
0004448530.tif 000004
【図４】
0004448530.tif 000005
【図５】
0004448530.tif 000006
【図６】
0004448530.tif 000007
【図７】
0004448530.tif 000008
【図８】
0004448530.tif 000009
【図９】
0004448530.tif 000010
【図１０】
0004448530.tif 000011
【図１１】
0004448530.tif 000012
【図１２】
0004448530.tif 000013
【図１３】
0004448530.tif 000014
【図１４】
0004448530.tif 000015
【図１５】
0004448530.tif 000016
【図１６】
0004448530.tif 000017
【図１７】
0004448530.tif 000018
【図１８】
0004448530.tif 000019
【図１９】
0004448530.tif 000020
【図２０】
0004448530.tif 000021
【図２１】
0004448530.tif 000022
【図２２】
0004448530.tif 000023